(57)【要約】【課題】太陽電池よりも文字板を大きく形成した時計において、低コストで外観性を向上できる太陽電池付時計を提供すること。【解決手段】太陽電池４と、太陽電池４の時計表側に配置された透光性の文字板６と、太陽電池４及び文字板６を保持する保持リング部材３と、太陽電池４と文字板６との間に配置された非透光性の被覆リング部材５とを備える。また、太陽電池４は、基板４１と、基板４１に形成された受光部４２とを備えており、基板４１における受光部４２の外側に基板外周部４３を有する。文字板６の見切り径は、太陽電池の受光部４２の外径よりも大きくされる。保持リング部材３は、太陽電池４の外周縁を係止する係止部３１３と、文字板６を位置決め固定する位置決め固定部３１，３２とを備える。そして、被覆リング部材５は、基板外周部４３を被覆する。【選択図】図１
2012108043.tif 000002
【特許請求の範囲】
【請求項１】
太陽電池と、
前記太陽電池の時計表側に配置された透光性の文字板と、
前記太陽電池及び前記文字板を保持する保持リング部材と、
前記太陽電池と前記文字板との間に配置された非透光性の被覆リング部材とを備えて構成され、
前記太陽電池は、基板と、前記基板に形成された受光部とを備えており、前記基板における前記受光部の外側に基板外周部を有し、
前記文字板の見切り径は、前記太陽電池の受光部の外径よりも大きくされ、
前記保持リング部材は、前記太陽電池の外周縁を係止する係止部と、前記文字板を位置決め固定する位置決め固定部とを備え、
前記被覆リング部材は、前記太陽電池の前記基板外周部を被覆する
ことを特徴とする太陽電池付時計。
【請求項２】
請求項１に記載の太陽電池付時計において、
前記被覆リング部材の表面側の色は、前記太陽電池の受光部の色と同系色である
ことを特徴とする太陽電池付時計。
【請求項３】
請求項１または請求項２に記載の太陽電池付時計において、
前記被覆リング部材の表面側の色は、前記保持リング部材の色と同系色である
ことを特徴とする太陽電池付時計。
【請求項４】
請求項１から請求項３のいずれかに記載の太陽電池付時計において、
前記位置決め固定部は、前記保持リング部材の表面から前記文字板側に突出して形成され、かつ、前記文字板を支持する支持面を有する台座部と、前記支持面から前記文字板側に突出して形成されて前記文字板と係合する係合突起部とを備え、
前記係止部は、前記台座部の内側面から前記保持リング部材の中心に向けて延出して形成され、前記保持リング部材の表面に載置される前記太陽電池の外周縁の表面を係止する突起によって構成される
ことを特徴とする太陽電池付時計。
【発明の詳細な説明】
【技術分野】
【０００１】
本発明は、太陽電池付時計に関する。
【背景技術】
【０００２】
従来、地板の表側に太陽電池受けリングを配置し、この太陽電池受けリングの表側に太陽電池を配置し、この太陽電池の表側に光を透過する部材で構成された透光性板（文字板）を配置している太陽電池付時計が知られている（例えば、特許文献１参照）。
このような太陽電池付時計では、太陽電池及び文字板の外径寸法が略同一寸法で形成されている。また、太陽電池は、基板上に受光部を形成しているが、受光部を基板外周縁まで形成することは製造上困難なため、受光部の外周側に基板の色調が視認できる基板外周部が形成されている。
そして、太陽電池及び文字板の周縁部分をダイヤルリングと太陽電池受けリングとの間で挟持することで、太陽電池及び文字板を固定している。この際、ダイヤルリングが太陽電池の周縁部分を覆うことで、太陽電池の基板外周部を覆い、外部から文字板を介して基板外周部が視認されないようになっている。
【先行技術文献】
【特許文献】
【０００３】
【特許文献１】特許第３４８９３７７号公報
【発明の概要】
【発明が解決しようとする課題】
【０００４】
ところで、腕時計ではデザイン上の要望で様々な時計サイズのものが製造される。この際、時計のムーブメントや太陽電池等の機能部品を各時計で共通化して、デザインにより選択される部品である外装ケースや文字板等のみを変更すれば、製造コストを抑制しつつ、時計デザインのバリエーションを増やすことが可能となる。
しかしながら、特許文献１の太陽電池付時計において、上述したように、太陽電池のサイズをそのままで、文字板の平面サイズを大きくしようとすると、文字板の周縁部分を固定するダイヤルリングの配設位置が文字板のサイズに応じて外方に位置付けられることとなる。このため、本来、外部から視認されないことを前提に設計されている太陽電池の外周部分の基板外周部が文字板を介して外部から視認されることとなり、外観上好ましくない。
【０００５】
本発明の目的は、太陽電池よりも文字板を大きく形成した時計において、低コストで外観性を向上できる太陽電池付時計を提供することにある。
【課題を解決するための手段】
【０００６】
本発明の太陽電池付時計は、太陽電池と、前記太陽電池の時計表側に配置された透光性の文字板と、前記太陽電池及び前記文字板を保持する保持リング部材と、前記太陽電池と前記文字板との間に配置された非透光性の被覆リング部材とを備えて構成され、前記太陽電池は、基板と、前記基板に形成された受光部とを備えており、前記基板における前記受光部の外側に基板外周部を有し、前記文字板の見切り径は、前記太陽電池の受光部の外径よりも大きくされ、前記保持リング部材は、前記太陽電池の外周縁を係止する係止部と、前記文字板を位置決め固定する位置決め固定部とを備え、前記被覆リング部材は、前記太陽電池の前記基板外周部を被覆することを特徴とする。
【０００７】
本発明によれば、太陽電池と文字板との間に太陽電池の基板外周部を被覆する非透光性の被覆リング部材が配置される。このため、文字板の見切り径が太陽電池の受光部の外径よりも大きくされて、ダイヤルリング等で太陽電池の基板外周部を被覆できない場合でも、基板外周部を被覆リング部材で被覆できる。従って、本来、外部から視認されることを想定していない基板外周部が視認されることがないため、外観性を向上できる。
この際、被覆リング部材は、文字板仕様（光透過率や材料など）によって文字板を介して外部から視認される場合もある。この被覆リング部材は、基板外周部を被覆するものであり、被覆リング部材の材質を適宜選択したり、表面を塗装するなどして容易に装飾できる。このため、被覆リング部材が外部から視認されても外観性を向上できる。
また、本発明は、太陽電池の基板外周部を被覆する被覆リング部材を用いたのみであり、この被覆リング部材はリング状の簡素な構成であるため、製造コストを抑制できる。さらに、文字板のサイズを大きくするに伴って、太陽電池のサイズを大きくする必要がないので、従来の太陽電池を流用することができ、低コストで実現できる。
【０００８】
さらに、文字板及び太陽電池は、共に保持リング部材に固定や係止されるので、文字板及び太陽電池間の寸法設定も容易となり、前記被覆リング部材を確実に配置できる。
また、文字板と太陽電池との間に配置される被覆リング部材は、前記保持リング部材を用いて位置決めできるため、被覆リング部材と太陽電池との位置関係が時計の使用中にずれてしまうことがない。従って、簡素な構成で、被覆リング部材が太陽電池の基板外周部を被覆する状態を容易に維持でき、外観性を向上できる。
【０００９】
本発明の太陽電池付時計では、前記被覆リング部材の表面側の色は、前記太陽電池の受光部の色と同系色であることが好ましい。
【００１０】
ここで、同系色とは、同色のみならず、同じ色相において、明度や彩度が違う色も含むものである。
本発明によれば、外部から文字板を介して視認される被覆リング部材の表面側の色は、太陽電池の受光部の色と同系色にしたので、被覆リング部材及び受光部が一体感を有して外部から視認されるため、外観性をより向上できる。
【００１１】
本発明の太陽電池付時計では、前記被覆リング部材の表面側の色は、前記保持リング部材の色と同系色であることが好ましい。
【００１２】
本発明によれば、保持リング部材の一部が外部から文字板を介して視認された場合でも、被覆リング部材の表面側の色を保持リング部材の色と同系色にしたので、被覆リング部材及び保持リング部材が一体感を有して外部から視認されるため、外観性をより向上できる。
【００１３】
本発明の太陽電池付時計では、前記位置決め固定部は、前記保持リング部材の表面から前記文字板側に突出して形成され、かつ、前記文字板を支持する支持面を有する台座部と、前記支持面から前記文字板側に突出して形成されて前記文字板と係合する係合突起部とを備え、前記係止部は、前記台座部の内側面から前記保持リング部材の中心に向けて延出して形成され、前記保持リング部材の表面に載置される前記太陽電池の外周縁の表面を係止する突起によって構成されることが好ましい。
【００１４】
本発明によれば、文字板は台座部の支持面で支持されつつ、係合突起部に係合されるので、このような簡素な構成で、文字板の保持リング部材に対する周方向及び厚み方向の位置決め固定をすることができる。
また、係止部は、台座部の内側面から突出される突起によって構成されるので、保持リング部材の表面に載置される太陽電池の外周縁を、保持リング部材の表面と突起とで挟持して係止することができる。
ところで、文字板の裏面側に被覆リング部材や太陽電池が配置されるため、文字板を支持する台座部は保持リング部材の表面側から所定の厚み寸法を必要とし、また、文字板を支持するために保持リング部材の径方向に所定の幅寸法を必要する。一方、太陽電池を係止する係止部は、太陽電池の外周縁を係止するために保持リング部材の表面側から太陽電池の厚さ寸法分の高さ位置に形成されるため、保持リング部材の表面から突出する部分を形成し、その突出部分の内周に突起を形成する必要がある。このため、係止部と台座部とを保持リング部材表面において異なる位置に形成すると、保持リング部材表面の凹凸形状が複雑になる。そこで、本発明は、係止部を台座部と一体的に形成しているので、保持リング部材の構造を簡素化でき、容易に製造できる。
【図面の簡単な説明】
【００１５】
【図１】本発明の一実施形態に係る太陽電池付時計の時計本体の分解斜視図。
【図２】前記太陽電池付時計の部分断面図。
【図３】前記太陽電池付時計の部分断面図。
【図４】前記時計本体の太陽電池の部分断面図。
【図５】前記時計本体から文字板及び被覆リング部材が分解された状態を示す分解斜視図。
【図６】前記時計本体の太陽電池に被覆リング部材を取り付けた状態での平面図。
【発明を実施するための形態】
【００１６】
本発明の一実施形態を図面に基づいて説明する。
〔太陽電池付時計の概略構成〕
図１は、本実施形態に係る太陽電池付時計１の時計本体１０の分解斜視図である。
太陽電池付時計１は、時計本体１０と、時計本体１０を収容する外装ケース２０（図２及び図３参照）とで概略構成され、利用者が腕に装着して使用する腕時計タイプとされている。
【００１７】
〔時計本体の構成〕
時計本体１０は、図１に示すように、ムーブメント２と、ムーブメント２を保持する保持リング部材３と、保持リング部材３に保持される太陽電池４と、太陽電池４の表側に配置される非透光性の被覆リング部材５と、被覆リング部材５の表側に配置されて保持リング部材３に保持される透光性の文字板６とを備える。なお、ムーブメント２は、地板、回路基板、ステッピングモーター、駆動輪列等が組み込まれた一般的な構成を採用しているため、以下では説明を省略する。また、他の構成部材３〜６についての詳細な説明は、後述する。
【００１８】
〔外装ケースの構成〕
図２及び図３は、太陽電池付時計１の部分断面図であり、具体的に、図２は、保持リング部材３の後述する支持フック部３０で断面した部分断面図であり、図３は、保持リング部材３の後述する第１位置決め固定部３１の第１係合突起部３１２で断面した部分断面図である。
外装ケース２０は、円筒状の円筒ケース２１と、円筒ケース２１の下面側の開口を閉塞する裏蓋２２と、円筒ケース２１の上面側に嵌合構造により取り付けられるリング状のベゼル２３と、ベゼル２３の内周面に取り付けられるカバーガラス２４とを備える。
ベゼル２３の内周側には、ダイヤルリング２５が配置され、このダイヤルリング２５の内周部分は、文字板６に向かう傾斜面となっている。そして、ダイヤルリング２５の裏面側の内周端縁は、文字板６の表面側の外周端縁に当接することで、ダイヤルリング２５は文字板６を時計厚み方向に位置決め固定している。このため、本実施形態における文字板６の見切り径は、ダイヤルリング２５が覆われていない領域の径寸法である。すなわち、文字板６の見切り径は、ダイヤルリング２５が文字板６を覆う領域に応じて決定される。なお、本実施形態では、ダイヤルリング２５を文字板６のいわゆる見切り板として用いたが、ダイヤルリング２５を備えていない構成であってもよく、この場合には、円筒ケース２１やベゼル２３等を前記見切り板として用いる形状に加工してもよい。
【００１９】
〔保持リング部材の構成〕
保持リング部材３は、後述する太陽電池４の受光部４２と同系色に構成され、図１及び図２に示すように、保持リング部材３の内周面に支持フック部３０を備える。この支持フック部３０が、ムーブメント２の裏面側（裏蓋２２側）を支持することで、保持リング部材３はムーブメント２を保持する。
また、保持リング部材３の表面には、図１に示すように、保持リング部材３の中心を挟んで、互いに対向配置された２つの第１位置決め固定部３１、及び互いに対向配置された２つの第２位置決め固定部３２と、３つの位置決め突起部３３とが設けられている。
【００２０】
第１位置決め固定部３１は、保持リング部材３の表面から文字板６側に突出して形成されて、文字板６を支持する第１支持面３１１Ａを有する第１台座部３１１と、第１支持面３１１Ａから文字板６側に突出して形成されて文字板６と係合する角柱状の第１係合突起部３１２と、第１台座部３１１の内側面から保持リング部材３の中心に向けて延出する突起によって構成される係止部３１３とを備える。
第２位置決め固定部３２は、保持リング部材３の表面から文字板６側に突出して形成されて、文字板６を支持する第２支持面３２１Ａを有する第２台座部３２１と、第２支持面３２１Ａから文字板６側に突出して形成されて文字板６と係合する円柱状の第２係合突起部３２２とを備える。
そして、第１位置決め固定部３１の係止部３１３には、保持リング部材３の表面に載置される太陽電池４の外周縁の表面が係止されることで、保持リング部材３は太陽電池４を保持する。また、文字板６が、第１、第２支持面３１１Ａ，３２１Ａに載置されて、第１、第２係合突起部３１２，３２２に係合されることで、保持リング部材３は文字板６を保持する。
位置決め突起部３３は、保持リング部材３の表面から文字板６側に向けて突出するように形成されている。この位置決め突起部３３に太陽電池４及び被覆リング部材５が係止されることで、太陽電池４及び被覆リング部材５は、保持リング部材３に対する周方向の位置決め固定がされる。
【００２１】
〔太陽電池の構成〕
太陽電池４は、図１に示すように、平面視略円形状の基板４１と、基板４１の表面側に形成された太陽電池の受光部４２とを備えており、受光部４２の外側に基板外周部４３を有する。また、受光部４２は、複数の領域に分割され、各領域の出力を直列接続することで発電電圧を向上させている。そして、特に図示を省略したが、太陽電池４は、基板外周部４３の領域の広い部分に貫通穴を設けて基板４１の裏面側に端子を設け、この端子に導通部材を接続し、この導通部材を介してムーブメント２の回路基板に電気的に接続される。これにより、太陽電池４は、文字板６を透過した太陽光が受光部４２に当たることで発電を行い、受光部４２で発電された電力は、導通部材を介して回路基板に設けられた二次電池に充電され、この二次電池の出力で回路基板等が駆動される。
【００２２】
図４は、太陽電池４の部分断面図である。
基板４１は、図４に示すように、ステンレス板４１１と、ステンレス板４１１に積層された絶縁膜４１２とを備える。
受光部４２は、基板４１側から順に、メタル膜４２１と、アモルファスシリコン膜４２２と、透明電極膜４２３とが積層されて構成される。
そして、基板４１及び受光部４２を覆うように表面処理膜４４が設けられている。
基板外周部４３は、基板４１において、受光部４２が設けられていない外側の領域であり、外部から表面処理膜４４を介して絶縁膜４１２の色調が視認される領域である。
【００２３】
図５は、被覆リング部材５及び文字板６が時計本体１０から分解された分解斜視図である。
基板外周部４３は、図３及び図５に示すように、受光部４２の外周縁に沿って形成されて、保持リング部材３の係止部３１３に係止される。これにより、太陽電池４は、保持リング部材３に保持されるとともに、時計本体１０の厚み方向の位置決めがされる。
また、基板外周部４３には、図１及び図４に示すように、保持リング部材３の３つの位置決め突起部３３に係合される３つの平面視半円形状の係合部４３１が切り欠き形成されている。これにより、各係合部４３１が保持リング部材３の位置決め突起部３３に係合されることで、太陽電池４は、保持リング部材３に対する周方向の位置決めがされる。
【００２４】
〔被覆リング部材の構成〕
図６は、太陽電池４に被覆リング部材５（２点鎖線で示す）を取り付けた状態における平面図である。
被覆リング部材５は、非透光性の材料により円環状に形成され、表面側が太陽電池４の受光部４２と同系色に構成されており、このため、被覆リング部材５の表面側は保持リング部材３と同系色に構成される。この被覆リング部材５は、図６に示すように、太陽電池４と文字板６との間に配置され、太陽電池４の基板外周部４３を被覆するように、基板外周部４３に対応した形状に形成されている。
また、被覆リング部材５には、図５に示すように、保持リング部材３の第１位置決め固定部３１の係止部３１３に係合する平面視コ字状の２つの第１係合部５１と、位置決め突起部３３に係合する３つの平面視半円形状の第２係合部５２が切り欠き形成されている。これにより、各係合部５１，５２が保持リング部材３の係止部３１３及び位置決め突起部３３に係合されることで、被覆リング部材５は、保持リング部材３に対する周方向の位置決め固定がされる。
【００２５】
〔文字板の構成〕
文字板６は、透光性の材料により、図１及び図５に示すように、太陽電池４の受光部４２全体を覆う大きさに形成されている。より具体的に、本実施形態の文字板６は、見切り径が受光部４２の外径よりも大きくなるように形成されているが、太陽電池４の基板外周部４３を全て覆うほどの大きさを有していない。これは、文字板６と太陽電池４との間に基板外周部４３を被覆する被覆リング部材５が配置されているため、文字板６が基板外周部４３を全て覆う必要がないためである。なお、文字板６は、少なくとも受光部４２全体を覆う大きさであればよく、または、基板外周部４３を覆って太陽電池４よりも大きく形成されていてもよい。
この文字板６は、外周端縁から径方向に延出する４つの延出部６１と、各延出部６１に平面視コ字状に切り欠き形成される２つの第１係合部６２、及び平面視半円形状に切り欠き形成される２つの第２係合部６３とを備える。
延出部６１は、保持リング部材３の各位置決め固定部３１，３２の各支持面３１１Ａ，３２１Ａに載置されることで、文字板６が保持リング部材３に支持される。
第１係合部６２は、第１位置決め固定部３１の第１係合突起部３１２に嵌合される。これにより、文字板６は、保持リング部材３に対する周方向及び時計本体１０の厚み方向の位置決め固定がされる。
第２係合部６３は、第２位置決め固定部３２の第２係合突起部３２２に係合される。これにより、文字板６は、保持リング部材３に対する周方向の位置決め固定がされる。
【００２６】
〔時計本体の組み立て〕
次に、図１を参照して、時計本体１０の組み立て方法について説明する。
まず、保持リング部材３でムーブメント２を保持する。この際、ムーブメント２の上方から保持リング部材３をはめ込むとともに、保持リング部材３の支持フック部３０をムーブメント２の底面に引っ掛けるようにして支持する。
次に、太陽電池４を保持リング部材３に保持させる。具体的に、太陽電池４の係合部４３１を保持リング部材３の位置決め突起部３３に係合させて、太陽電池４の保持リング部材３の周方向に対する位置決め固定をする。そして、太陽電池４を押し込むことで、太陽電池４の基板外周部４３が第１位置決め固定部３１の係止部３１３の表面側の傾斜面に沿いながら、係止部３１３に係止されて、太陽電池４が保持リング部材３に保持される。
【００２７】
次に、被覆リング部材５を太陽電池４の表面側から保持リング部材３に保持させる。具体的に、被覆リング部材５の第１係合部５１を保持リング部材３の係止部３１３に係合させ、さらに、第２係合部５２を位置決め突起部３３に係合させることで、被覆リング部材５を保持リング部材３の周方向に対して位置決め固定する。
そして、文字板６を被覆リング部材５の表面側から保持リング部材３に保持させる。具体的に、第１係合部６２を保持リング部材３の第１位置決め固定部３１の第１係合突起部３１２に嵌合させ、文字板６を保持リング部材３の周方向及び厚み方向に対して位置決め固定する。さらに、第２係合部６３を第２位置決め固定部３２の第２係合突起部３２２に係合させ、文字板６を保持リング部材３の周方向に対して位置決め固定する。そして、延出部６１が保持リング部材３の各位置決め固定部３１，３２の各支持面３１１Ａ，３２１Ａに載置され、文字板６を各支持面３１１Ａ，３２１Ａに支持させる。
以上により、時計本体１０が組み立てられる。
【００２８】
上述した本実施形態に係る太陽電池付時計１によれば、以下の効果を奏する。
本実施形態によれば、太陽電池４と文字板６との間に太陽電池４の基板外周部４３を被覆する非透光性の被覆リング部材５が配置される。このため、文字板６の見切り径が太陽電池４の受光部４２の外径よりも大きくされて、ダイヤルリング２３等で太陽電池４の基板外周部４３を被覆できない場合でも、基板外周部４３を被覆リング部材５で被覆できる。従って、本来、外部から視認されることを想定していない基板外周部４３であるステンレスが外部から視認されることがないため、外観性を向上できる。
また、太陽電池４の基板外周部４３を外部から視認されないようにするために、被覆リング部材５を用いたのみであり、この被覆リング部材５はリング状の簡素な構成であるため、製造コストを抑制できる。さらに、文字板６のサイズを大きくするに伴って、太陽電池４のサイズを大きくする必要がないので、従来の太陽電池を流用することができ、低コストで実現できる。
【００２９】
さらに、被覆リング部材５は、保持リング部材３の各位置決め固定部３１，３２や位置決め突起部３３で周方向に対する位置決めや厚み方向に対する位置決め固定がされるので、被覆リング部材５の保持リング部材３に対する位置ずれを防止できる。さらに、太陽電池４は保持リング部材３の係止部３１３に係止されるので、太陽電池４の保持リング部材３に対する位置ずれを防止できる。これらにより、被覆リング部材５と太陽電池４との位置関係が時計１の使用中にずれてしまうことがない。従って、簡素な構成で、被覆リング部材５が太陽電池４の基板外周部４３を被覆する状態を容易に維持でき、外観性を向上できる。
【００３０】
また、被覆リング部材５の色を太陽電池４の受光部４２、及び保持リング部材３の色と同系色に構成しているので、外部から文字板６を介して被覆リング部材５、受光部４２、及び保持リング部材３が一体感を有して視認されるため、外観性をより向上できる。
【００３１】
さらに、文字板６は、保持リング部材３の各係合突起部３１２，３２２に係合されつつ、各台座部３１１，３２１の各支持面３１１Ａ，３２１Ａで支持されるため、このような簡素な構成で、文字板６の保持リング部材３に対する周方向及び厚み方向の位置決め固定をすることができる。
また、係止部３１３は、第１台座部３１１の内側面から突出される突起によって構成されるので、保持リング部材３の表面に載置される太陽電池４の外周縁を、保持リング部材３の表面と突起とで挟持して係止することができる。
さらに、係止部３１３を第１台座部３１１と一体的に形成しているため、上述したように、係止部３１３と第１台座部３１１とを保持リング部材３表面において異なる位置に形成した場合において、保持リング部材表面の凹凸形状が複雑になることがなく、保持リング部材３の構造を簡素化でき、容易に製造できる。
【００３２】
また、基板外周部４３の色が受光部４２と同系色となるように、色調合わせ印刷を行う場合がある。しかしながら、色調合わせ印刷を行った場合でも、基板外周部４３の上面の全てを受光部４２と同系色に印刷できない場合がある。特に、色調合わせ印刷後に、太陽電池４をプレス加工により打ち抜いて製造する等の製造工程では、基板外周部４３の外縁部分に対して、色調合わせ印刷を行うことが難しい。このような場合においても、被覆リング部材５が基板外周部４３を被覆することで、基板外周部４３の色調合わせ印刷を行うことができなかった部分が外部から視認されることがないため、外観性を向上できる。
【００３３】
［実施形態の変形］
なお、本発明は前述の実施形態に限定されるものではなく、本発明の目的を達成できる範囲での変形、改良等は本発明に含まれるものである。
前記実施形態では、保持リング３でムーブメント２を保持し、その後に太陽電池４を保持リング３に保持させたが、太陽電池４を先に保持リング３に組み込み、これをムーブメント２にセットする組み立て順であってもよい。  前記実施形態では、保持リング部材３に第１位置決め固定部３１及び第２位置決め固定部３２がそれぞれ形成されていたが、文字板６を保持リング部材３に対して周方向のみに位置決め固定する第２位置決め固定部３２を設けない構成でもよく、文字板６を保持リング部材３に対して周方向及び厚み方向に位置決め固定することが可能な第１位置決め固定部３１のみを設ける構成であってもよい。
前記実施形態では、位置決め部３３を３個としているが、太陽電池４の周方向の位置決めがなされれば良いため、位置決め部３３は２個以上で構成すればよい。
前記実施形態では、係止部３１３は、第１位置決め固定部３１にのみに形成されていたが、第２位置決め固定部３２にも形成されていてもよく、第１位置決め固定部３１には設けずに、第２位置決め固定部３２にのみ形成してもよい。
【００３４】
前記実施形態では、被覆リング部材５は円環状に形成されて、基板外周部４３を被覆する構成であったが、基板外周部４３に加えて、複数の領域に分割された受光部４２の分割線（基板４１の色調が視認できる領域）を被覆する構成であってもよい。すなわち、被覆リング部材５が基板外周部４３を被覆する円環部と、中心から円環部に延出して前記分割線を被覆する梁部とを備える構成であってもよい。
前記実施形態では、係合突起部３１２は、第１位置決め固定部３１側に形成されていたが、文字板６側に形成されていてもよく、この場合には第１位置決め固定部３１側に突起部が嵌合する嵌合穴などが形成されていればよい。
【００３５】
前記実施形態では、被覆リング部材５の色が太陽電池４の受光部４２、及び保持リング部材３の色と同系色であったが、これらが異なる色であってもよい。また、外部から視認される被覆リング部材５を装飾加工するなどしてもよく、この場合には外観性をより向上できる。
前記実施形態では、本発明に係る時計として、腕時計タイプの時計を例示して説明したが、これに限らず、壁掛け時計等、他のタイプの時計であってもよい。
【符号の説明】
【００３６】
１…太陽電池付時計、３…保持リング部材、４…太陽電池、５…被覆リング部材、６…文字板、３１…第１位置決め固定部、３２…第２位置決め固定部、４１…基板、４２…受光部、４３…基板外周部、３１１…第１台座部、３１１Ａ…第１支持面、３１２…第１係合突起部、３１３…係止部、３２１…第２台座部、３２１Ａ…第２支持面、３２２…第２係合突起部。
【図１】
2012108043.tif 000003
【図２】
2012108043.tif 000004
【図３】
2012108043.tif 000005
【図４】
2012108043.tif 000006
【図５】
2012108043.tif 000007
【図６】
2012108043.tif 000008